(57)【要約】  光ディスクの記録または再生の動作を開始するまでの時間を短縮する。  偏重心量テーブル（４１）には、光ディスクの識別情報ごとに偏重心量の測定値が対応付けて記憶されている。光ディスク識別部（３１）は、光ディスク装置に装着された光ディスク（１）から読み取った情報を基に、光ディスク（１）についての識別情報を取得する。ここで、取得された識別情報に対応する偏重心量の測定値が偏重心量テーブル（４１）に記憶されていた場合、偏重心量取得部（３２）は、その測定値を読み出して、光ディスク（１）の記録または再生の動作制御に必要な制御情報として出力する。一方、取得された識別情報に対応する偏重心量の測定値が偏重心量テーブル（４１）に記憶されていなかった場合には、偏重心量測定部（３３）により、光ディスク（１）が回転されてその偏重心量が測定され、得られた測定値が、偏重心量取得部（３２）により上記の制御情報として出力される。
2010016135.tif 000002
【特許請求の範囲】
【請求項１】
円盤状記録媒体に対する信号の記録またはその記録信号の再生を行うドライブ装置において、
記録媒体を識別するための識別情報ごとに偏重心量の測定値を対応付けて記憶する偏重心量記憶部と、
当該ドライブ装置に装着された記録媒体から読み取った情報を基に、当該記録媒体についての前記識別情報を取得する媒体識別部と、
装着された記録媒体を回転させてその偏重心量を測定する偏重心量測定部と、
前記媒体識別部からの前記識別情報に対応する偏重心量の測定値が、前記偏重心量記憶部に記憶されているか否かを判定し、対応する測定値が記憶されていた場合には、当該測定値を読み出して、装着された記録媒体の記録または再生の動作制御に必要な制御情報として出力し、対応する測定値が記憶されていなかった場合には、前記偏重心量測定部に偏重心量を測定させ、得られた測定値を前記制御情報として出力する偏重心量出力部と、
を有することを特徴とするドライブ装置。
【請求項２】
前記偏重心量出力部は、前記媒体識別部からの前記識別情報に対応する偏重心量の測定値が、前記偏重心量記憶部に記憶されていなかった場合には、前記偏重心量測定部に偏重心量を測定させ、得られた測定値を前記媒体識別部からの前記識別情報に対応付けて前記偏重心量記憶部に登録するとともに、当該測定値を前記制御情報として出力することを特徴とする請求の範囲第１項記載のドライブ装置。
【請求項３】
前記識別情報は、記録媒体の種別と、当該記録媒体に現在記録されているデータ量とを含むことを特徴とする請求の範囲第１または２項記載のドライブ装置。
【請求項４】
前記識別情報は、ともに記録媒体上の所定の記録領域から読み出した、当該記録媒体の製造者を示す情報と、当該記録媒体のバージョンを示す情報とを有する製造者情報を含むことを特徴とする請求の範囲第１〜３項のいずれか１項に記載のドライブ装置。
【請求項５】
前記偏重心量記憶部は、記録媒体の種別、当該記録媒体に現在記録されているデータ量、当該記録媒体の製造者を示す情報と当該記録媒体のバージョンを示す情報とを有する製造者情報のうち、少なくとも２種類の情報を前記識別情報として記憶することを特徴とする請求の範囲第１または２項記載のドライブ装置。
【請求項６】
記録媒体の偏重心量と記録媒体の最高回転速度とを対応付けて記憶する回転速度記憶部と、
前記偏重心量出力部から出力された偏重心量を前記制御情報として受け取り、前記回転速度記憶部を参照して、当該偏重心量に対応する前記最高回転速度を読み出し、当該最高回転速度に基づいて記録媒体の記録または再生の動作を制御する動作制御部と、
をさらに有することを特徴とする請求の範囲第１〜５項のいずれか１項に記載のドライブ装置。
【請求項７】
円盤状記録媒体のドライブ装置と、前記ドライブ装置を用いて記録媒体に対する信号の記録またはその記録信号の再生を行うことが可能なホスト装置とを備えた情報処理装置において、
前記ドライブ装置は、
記録媒体を識別するための識別情報ごとに偏重心量の測定値を対応付けて記憶する偏重心量記憶部と、
当該ドライブ装置に装着された記録媒体から読み取った情報を基に、当該記録媒体についての前記識別情報を取得する媒体識別部と、
装着された記録媒体を回転させてその偏重心量を測定する偏重心量測定部と、
前記媒体識別部からの前記識別情報に対応する偏重心量の測定値が、前記偏重心量記憶部に記憶されているか否かを判定し、対応する測定値が記憶されていた場合には、当該測定値を読み出して、装着された記録媒体の記録または再生の動作制御に必要な制御情報として出力し、対応する測定値が記憶されていなかった場合には、前記偏重心量測定部に偏重心量を測定させ、得られた測定値を前記制御情報として出力する偏重心量出力部と、
前記ホスト装置からの要求に応じて、前記偏重心量記憶部に対して情報を登録する情報登録部と、
を有し、
前記ホスト装置は、
当該ホスト装置にネットワークを通じて接続された他のホスト装置から、前記識別情報ごとに偏重心量の測定値を対応付けた偏重心量情報を受信する情報受信部と、
前記情報受信部により受信された情報を前記情報登録部に転送して、前記ドライブ装置の前記偏重心量記憶部に登録させる登録要求部と、
を有することを特徴とする情報処理装置。
【請求項８】
前記ホスト装置は、前記ネットワークに接続された、他のドライブ装置に接続した前記他のホスト装置を探索する装置探索部をさらに有し、
あらかじめ決められたタイミングで前記装置探索部に探索処理を実行させ、探索された前記他のホスト装置から、前記情報受信部に前記偏重心量情報を受信させて、その受信情報を前記登録要求部に登録させることを特徴とする請求の範囲第７項記載の情報処理装置。
【請求項９】
前記ホスト装置は、前記他のホスト装置からの要求に応じて、前記情報受信部および前記登録要求部の処理を実行することを特徴とする請求の範囲第７項記載の情報処理装置。
【請求項１０】
円盤状記録媒体のドライブ装置と、前記ドライブ装置を用いて記録媒体に対する信号の記録またはその記録信号の再生を行うことが可能なホスト装置とを備えた情報処理装置において、
前記ドライブ装置は、
記録媒体を識別するための識別情報ごとに偏重心量の測定値を対応付けて記憶する偏重心量記憶部と、
当該ドライブ装置に装着された記録媒体から読み取った情報を基に、当該記録媒体についての前記識別情報を取得する媒体識別部と、
装着された記録媒体を回転させてその偏重心量を測定する偏重心量測定部と、
前記媒体識別部からの前記識別情報に対応する偏重心量の測定値が、前記偏重心量記憶部に記憶されているか否かを判定し、対応する測定値が記憶されていた場合には、当該測定値を読み出して、装着された記録媒体の記録または再生の動作制御に必要な制御情報として出力し、対応する測定値が記憶されていなかった場合には、前記偏重心量測定部に偏重心量を測定させ、得られた測定値を前記媒体識別部からの前記識別情報に対応付けて前記偏重心量記憶部に登録するとともに、当該測定値を前記制御情報として出力する偏重心量出力部と、
前記ホスト装置からの要求に応じて、前記偏重心量記憶部に登録された情報を読み出す情報読み出し部と、
を有し、
前記ホスト装置は、
前記偏重心量記憶部に登録された情報を前記情報読み出し部を通じて取得する情報取得部と、
当該ホスト装置にネットワークを通じて接続された、他のドライブ装置に接続した他のホスト装置に対して、前記情報取得部により取得された情報を送信する情報送信部と、
を有することを特徴とする情報処理装置。
【請求項１１】
前記ホスト装置は、前記ネットワークに接続された前記他のホスト装置を探索する装置探索部をさらに有し、
前記情報送信部は、前記装置探索部により探索された前記他のホスト装置に対して、前記情報取得部により取得された情報を送信することを特徴とする請求の範囲第１０項記載の情報処理装置。
【請求項１２】
前記ホスト装置は、前記他のホスト装置からの要求に応じて、前記情報取得部および前記情報送信部の処理を実行することを特徴とする請求の範囲第１０項記載の情報処理装置。
【請求項１３】
円盤状記録媒体のドライブ装置に装着された記録媒体の偏重心量を取得するための偏重心量取得方法において、
偏重心量記憶部が、記録媒体を識別するための識別情報ごとに偏重心量の測定値を対応付けて記憶し、
媒体識別部が、前記ドライブ装置に装着された記録媒体から読み取った情報を基に、当該記録媒体についての前記識別情報を取得し、
前記媒体識別部からの前記識別情報に対応する偏重心量の測定値が、前記偏重心量記憶部に記憶されていた場合には、偏重心量出力部が、当該測定値を読み出して、装着された記録媒体の記録または再生の動作制御に必要な制御情報として出力し、
前記媒体識別部からの前記識別情報に対応する偏重心量の測定値が、前記偏重心量記憶部に記憶されていなかった場合には、偏重心量測定部が、装着された記録媒体を回転させてその偏重心量を測定し、さらに、前記偏重心量出力部が、得られた測定値を前記制御情報として出力する、
ことを特徴とする偏重心量取得方法。
【請求項１４】
円盤状記録媒体のドライブ装置を備えた情報処理装置の情報処理方法において、
偏重心量記憶部が、記録媒体を識別するための識別情報ごとに偏重心量の測定値を対応付けて記憶し、
媒体識別部が、前記ドライブ装置に装着された記録媒体から読み取った情報を基に、当該記録媒体についての前記識別情報を取得し、
前記媒体識別部からの前記識別情報に対応する偏重心量の測定値が、前記偏重心量記憶部に記憶されていた場合には、偏重心量出力部が、当該測定値を読み出して、装着された記録媒体の記録または再生の動作制御に必要な制御情報として出力し、
前記媒体識別部からの前記識別情報に対応する偏重心量の測定値が、前記偏重心量記憶部に記憶されていなかった場合には、偏重心量測定部が、装着された記録媒体を回転させてその偏重心量を測定し、さらに、前記偏重心量出力部が、得られた測定値を前記制御情報として出力し、
情報受信部が、当該情報処理装置にネットワークを通じて接続された他の情報処理装置から、前記識別情報ごとに偏重心量の測定値を対応付けた偏重心量情報を受信し、
情報登録部が、前記情報受信部により受信された情報を前記偏重心量記憶部に登録する、
ことを特徴とする情報処理方法。
【請求項１５】
円盤状記録媒体のドライブ装置を備えた情報処理装置の情報処理方法において、
偏重心量記憶部が、記録媒体を識別するための識別情報ごとに偏重心量の測定値を対応付けて記憶し、
媒体識別部が、前記ドライブ装置に装着された記録媒体から読み取った情報を基に、当該記録媒体についての前記識別情報を取得し、
前記媒体識別部からの前記識別情報に対応する偏重心量の測定値が、前記偏重心量記憶部に記憶されていた場合には、偏重心量出力部が、当該測定値を読み出して、装着された記録媒体の記録または再生の動作制御に必要な制御情報として出力し、
前記媒体識別部からの前記識別情報に対応する偏重心量の測定値が、前記偏重心量記憶部に記憶されていなかった場合には、偏重心量測定部が、装着された記録媒体を回転させてその偏重心量を測定し、さらに、前記偏重心量出力部が、得られた測定値を前記媒体識別部からの前記識別情報に対応付けて前記偏重心量記憶部に登録するとともに、当該測定値を前記制御情報として出力し、
情報送信部が、前記偏重心量記憶部に登録された情報を読み出して、当該情報処理装置にネットワークを通じて接続された、他のドライブ装置に接続した他の情報処理装置に対して送信する、
ことを特徴とする情報処理方法。
【発明の詳細な説明】
【技術分野】
【０００１】
本発明は、光ディスクなどの円盤状記録媒体に対する信号の記録またはその記録信号の再生を行うドライブ装置、このドライブ装置を備えた情報処理装置、ドライブ装置における偏重心量取得方法、および、情報処理装置における情報処理方法に関する。
【背景技術】
【０００２】
光ディスクの記録や再生を行う光ディスク装置の中には、記録や再生の動作の前に光ディスクの偏重心量を検出し、その検出結果を記録や再生の動作制御に利用するものがある。その代表的な例としては、偏重心量の検出結果に応じて記録や再生時における光ディスクの最高回転数を決定するものがある（例えば、特許文献１，２参照）。また、光ディスクのトラック偏芯信号を抽出してその値をメモリに保存し、その値をトラッキングサーボの制御に利用するものもある（例えば、特許文献３参照）。
【特許文献１】特開２０００−３０６２４６号公報
【特許文献２】特開２００５−９２９６１号公報
【特許文献３】特開平１０−２７５３５３号公報
【発明の開示】
【発明が解決しようとする課題】
【０００３】
ところで、上記のような偏重心量の検出動作は、例えば、光ディスクを光ディスク装置に装着するたびに行われる。すなわち、光ディスクの再生や記録の動作を行う前に偏重心量の検出動作が行われるので、再生や記録を開始するまでに長い時間を要することが問題となっていた。【０００４】
偏重心量は光ディスクを高速に回転させた方が検出しやすいことから、偏重心量の検出時には、光ディスクを比較的高速に回転させることが多い。このとき、特にその光ディスクの偏重心量が大きいものである場合には、大きな騒音が発生するという問題もあった。さらに、光ディスクの偏重心量が大きい場合には、回転速度を徐々に低くして検出動作を続行することも多く、この場合には再生や記録を開始するまでにさらに長い時間がかかってしまう。【０００５】
本発明はこのような点に鑑みてなされたものであり、光ディスクなどの記録媒体の記録または再生の動作を開始するまでの時間を短縮したドライブ装置、および、このドライブ装置を備えた情報処理装置を提供することを目的とする。また、光ディスクなどの記録媒体の記録または再生の動作を開始するまでの時間を短縮した偏重心量取得方法および情報処理方法を提供することを目的とする。
【課題を解決するための手段】
【０００６】
上記目的を達成するために、円盤状記録媒体に対する信号の記録またはその記録信号の再生を行うドライブ装置が提供される。このドライブ装置は、記録媒体を識別するための識別情報ごとに偏重心量の測定値を対応付けて記憶する偏重心量記憶部と、当該ドライブ装置に装着された記録媒体から読み取った情報を基に、当該記録媒体についての前記識別情報を取得する媒体識別部と、装着された記録媒体を回転させてその偏重心量を測定する偏重心量測定部と、前記媒体識別部からの前記識別情報に対応する偏重心量の測定値が、前記偏重心量記憶部に記憶されているか否かを判定し、対応する測定値が記憶されていた場合には、当該測定値を読み出して、装着された記録媒体の記録または再生の動作制御に必要な制御情報として出力し、対応する測定値が記憶されていなかった場合には、前記偏重心量測定部に偏重心量を測定させ、得られた測定値を前記制御情報として出力する偏重心量出力部と、を有する。【０００７】
このようなドライブ装置では、偏重心量記憶部に、記録媒体を識別するための識別情報ごとに偏重心量の測定値が対応付けて記憶されている。媒体識別部は、この光ドライブ装置に装着された記録媒体から読み取った情報を基に、その記録媒体についての識別情報を取得する。ここで、媒体識別部からの識別情報に対応する偏重心量の測定値が偏重心量記憶部に記憶されていた場合には、偏重心量出力部により、その測定値が読み出されて、装着された記録媒体の記録または再生の動作制御に必要な制御情報として出力される。一方、媒体識別部からの識別情報に対応する偏重心量の測定値が偏重心量記憶部に記憶されていなかった場合には、偏重心量測定部により、装着された記録媒体が回転されてその偏重心量が測定され、得られた測定値が、偏重心量出力部により上記の制御情報として出力される。【０００８】
また、上記目的を達成するために、記録媒体の偏重心量を取得するための偏重心量取得方法が提供される。この偏重心量取得方法は、上記のドライブ装置において実行される処理手順に従って、このドライブ装置に装着された記録媒体偏重心量が取得される。【０００９】
また、上記目的を達成するために、円盤状記録媒体のドライブ装置と、前記ドライブ装置を用いて記録媒体に対する信号の記録またはその記録信号の再生を行うことが可能なホスト装置とを備えた情報処理装置が提供される。この情報処理装置において、前記ドライブ装置は、記録媒体を識別するための識別情報ごとに偏重心量の測定値を対応付けて記憶する偏重心量記憶部と、当該ドライブ装置に装着された記録媒体から読み取った情報を基に、当該記録媒体についての前記識別情報を取得する媒体識別部と、装着された記録媒体を回転させてその偏重心量を測定する偏重心量測定部と、前記媒体識別部からの前記識別情報に対応する偏重心量の測定値が、前記偏重心量記憶部に記憶されているか否かを判定し、対応する測定値が記憶されていた場合には、当該測定値を読み出して、装着された記録媒体の記録または再生の動作制御に必要な制御情報として出力し、対応する測定値が記憶されていなかった場合には、前記偏重心量測定部に偏重心量を測定させ、得られた測定値を前記制御情報として出力する偏重心量出力部と、前記ホスト装置からの要求に応じて、前記偏重心量記憶部に対して情報を登録する情報登録部と、を有し、前記ホスト装置は、当該ホスト装置にネットワークを通じて接続された他のホスト装置から、前記識別情報ごとに偏重心量の測定値を対応付けた偏重心量情報を受信する情報受信部と、前記情報受信部により受信された情報を前記情報登録部に転送して、前記ドライブ装置の前記偏重心量記憶部に登録させる登録要求部と、を有する。【００１０】
このような情報処理装置では、偏重心量記憶部に、ドライブを識別するための識別情報ごとに偏重心量の測定値が対応付けて記憶されている。媒体識別部は、このドライブ装置に装着された記録媒体から読み取った情報を基に、その記録媒体についての識別情報を取得する。ここで、媒体識別部からの識別情報に対応する偏重心量の測定値が偏重心量記憶部に記憶されていた場合には、偏重心量出力部により、その測定値が読み出されて、装着された記録媒体の記録または再生の動作制御に必要な制御情報として出力される。一方、媒体識別部からの識別情報に対応する偏重心量の測定値が偏重心量記憶部に記憶されていなかった場合には、偏重心量測定部により、装着された記録媒体が回転されてその偏重心量が測定され、得られた測定値が、偏重心量出力部により上記の制御情報として出力される。また、ホスト装置の情報受信部により、このホスト装置にネットワークを通じて接続された他のホスト装置から、識別情報ごとに偏重心量の測定値を対応付けた偏重心量情報が受信されると、その情報がホスト装置の登録要求部によってドライブ装置の情報登録部に転送される。情報登録部は、登録要求部からの要求に応じて、転送された情報を偏重心量記憶部に登録する。【００１１】
また、上記目的を達成するために、ドライブ装置を備えた上記構成の情報処理装置における情報処理方法が提供される。
また、上記目的を達成するために、円盤状記録媒体のドライブ装置と、前記ドライブ装置を用いて記録媒体に対する信号の記録またはその記録信号の再生を行うことが可能なホスト装置とを備えた情報処理装置が提供される。この情報処理装置において、前記ドライブ装置は、記録媒体を識別するための識別情報ごとに偏重心量の測定値を対応付けて記憶する偏重心量記憶部と、当該ドライブ装置に装着された記録媒体から読み取った情報を基に、当該記録媒体についての前記識別情報を取得する媒体識別部と、装着された記録媒体を回転させてその偏重心量を測定する偏重心量測定部と、前記媒体識別部からの前記識別情報に対応する偏重心量の測定値が、前記偏重心量記憶部に記憶されているか否かを判定し、対応する測定値が記憶されていた場合には、当該測定値を読み出して、装着された記録媒体の記録または再生の動作制御に必要な制御情報として出力し、対応する測定値が記憶されていなかった場合には、前記偏重心量測定部に偏重心量を測定させ、得られた測定値を前記媒体識別部からの前記識別情報に対応付けて前記偏重心量記憶部に登録するとともに、当該測定値を前記制御情報として出力する偏重心量出力部と、前記ホスト装置からの要求に応じて、前記偏重心量記憶部に登録された情報を読み出す情報読み出し部と、を有し、前記ホスト装置は、前記偏重心量記憶部に登録された情報を前記情報読み出し部を通じて取得する情報取得部と、当該ホスト装置にネットワークを通じて接続された、他のドライブ装置に接続した他のホスト装置に対して、前記情報取得部により取得された情報を送信する情報送信部と、を有する。【００１２】
このような情報処理装置では、偏重心量記憶部に、記録媒体を識別するための識別情報ごとに偏重心量の測定値が対応付けて記憶されている。媒体識別部は、このドライブ装置に装着された記録媒体から読み取った情報を基に、その記録媒体についての識別情報を取得する。ここで、媒体識別部からの識別情報に対応する偏重心量の測定値が偏重心量記憶部に記憶されていた場合には、偏重心量出力部により、その測定値が読み出されて、装着された記録媒体の記録または再生の動作制御に必要な制御情報として出力される。一方、媒体識別部からの識別情報に対応する偏重心量の測定値が偏重心量記憶部に記憶されていなかった場合には、偏重心量測定部により、装着された記録媒体が回転されてその偏重心量が測定され、得られた測定値が、偏重心量出力部により、媒体識別部からの識別情報に対応付けて偏重心量記憶部に登録されるとともに、その測定値が上記の制御情報として出力される。また、情報読み出し部は、ホスト装置からの要求に応じて、偏重心量記憶部に登録された情報を読み出し、読み出された情報はホスト装置の情報取得部に受け渡される。そして、ホスト装置の情報送信部は、このホスト装置にネットワークを通じて接続された、他のドライブ装置に接続した他のホスト装置に対して、情報取得部に受け渡された情報を送信する。【００１３】
また、上記目的を達成するために、ドライブ装置を備えた上記構成の情報処理装置における情報処理方法が提供される。
【発明の効果】
【００１４】
上記のドライブ装置および情報処理装置によれば、記録媒体の記録または再生の動作を開始するまでの時間が短縮される。
本発明の上記および他の目的、特徴および利点は本発明の例として好ましい実施の形態を表す添付の図面と関連した以下の説明により明らかになるであろう。
【図面の簡単な説明】
【００１５】
【図１】実施の形態に係る光ディスクドライブの構成を示す図である。
【図２】偏重心量テーブルの構成例を示す図である。
【図３】回転速度テーブルの構成例を示す図である。
【図４】光ディスクの記録または再生を行う際の処理全体の手順を示すフローチャートである。
【図５】光ディスクドライブにおける偏重心量の取得処理の手順を示すフローチャートである。
【図６】実施の形態に係るネットワークシステムの第１の構成例を示す図である。
【図７】ホスト装置のハードウェア構成例を示す図である。
【図８】偏重心量の受信側のホスト装置での処理手順を示すフローチャートである。
【図９】実施の形態に係るネットワークシステムの第２の構成例を示す図である。
【図１０】偏重心量の送信側のホスト装置での処理手順を示すフローチャートである。
【発明を実施するための最良の形態】
【００１６】
以下、実施の形態について図面を参照して詳細に説明する。
図１は、実施の形態に係る光ディスクドライブの構成を示す図である。
図１に示す光ディスクドライブは、光ディスク１に対する信号記録、および、光ディスク１に記録された信号の再生を行う装置である。この光ディスクドライブは、スピンドルモータ１１、光ピックアップ１２、スピンドルモータドライバ２１、光ピックアップドライバ２２、コントローラ３０、フラッシュメモリ４０およびインタフェース回路５０を備えている。【００１７】
スピンドルモータ１１は、スピンドルモータドライバ２１からの制御の下で、この光ディスクドライブに装着された光ディスク１を回転させる。なお、光ディスク１は、例えば、ディスクトレイ（図示せず）上に載置され、チャッキングプレートなどからなるチャッキング機構（図示せず）によってディスク中心部が挟持された状態で、スピンドルモータ１１により回転される。また、チャッキングプレートの代わりに、ディスクトレイ側にボールチャッキング機構などを設けて、ディスク中心付近がディスクトレイ側に支持されるようにしてもよい。【００１８】
光ピックアップ１２は、光ディスク１の信号記録領域に対してレーザ光を照射する機能と、信号記録領域からの反射光を受光する機能とを備える。また、光ディスク１に記録された、光ディスク１を識別するための各種の情報を読み取る機能も備えている。光ピックアップドライバ２２は、コントローラ３０から受け取った記録信号に誤り訂正符号などを付加し、さらに変調を施して光ピックアップ１２に送信する。また、光ピックアップ１２による受光信号を受け取って復調し、誤り訂正処理などを施して、再生信号をコントローラ３０に送信する。【００１９】
コントローラ３０は、この光ディスクドライブの動作を統括的に制御する制御回路であり、例えばマイクロコンピュータとして実現される。本実施の形態において、コントローラ３０は、光ディスク識別部３１、偏重心量取得部３２、偏重心量測定部３３および記録・再生部３４の各制御機能を備えている。なお、これらの各機能については、後に説明する。【００２０】
フラッシュメモリ４０には、コントローラ３０での処理に利用される各種のデータが記憶される。本実施の形態では、光ディスクの識別情報と偏重心量の測定値とが対応付けて登録された偏重心量テーブル４１が、フラッシュメモリ４０に記憶されている。さらに、光ディスクの媒体種別ごとに、偏重心量の範囲と光ディスクの許容回転速度とを対応付けた回転速度テーブル４２も、フラッシュメモリ４０に記憶されている。なお、フラッシュメモリ４０の機能は、他の種類の不揮発性記録媒体によって実現されてもよい。【００２１】
インタフェース回路５０は、コントローラ３０と、この光ディスクドライブに接続されたホスト装置との間でデータを送受信するための回路であり、例えば、このような送受信動作を各種のバスインタフェース規格などに従って実行する。【００２２】
ここで、ホスト装置は、例えばパーソナルコンピュータなどとして実現される。ホスト装置は、光ディスク１から再生されたデータを、コントローラ３０からインタフェース回路５０を通じて受け取る。また、光ディスク１に記録すべきデータを、インタフェース回路５０を通じてコントローラ３０に供給する。この光ディスクドライブとホスト装置の機能とは、一体の装置に設けられていてもよい。【００２３】
次に、コントローラ３０が備える機能について詳しく説明する。なお、図１に示した光ディスク識別部３１、偏重心量取得部３２、偏重心量測定部３３および記録・再生部３４の各制御機能は、コントローラ３０内に設けられた専用のハードウェア回路によって実現されてもよいし、あるいは、コントローラ３０内に設けられたＣＰＵ（Central Processing Unit）により所定のプログラムが実行されることによって実現されてもよい。【００２４】
光ディスク識別部３１は、この光ディスクドライブに装着された光ディスク１を識別するための識別情報を取得する動作を制御する。この識別情報は、光ディスク１から光ピックアップ１２を通じて読み取られた情報を基に取得される。例えば、光ディスク１の所定の領域から、光ディスク１の媒体種別や各種ＩＤ情報などが読み取られる。また、光ディスク１に現在記録されているデータ量（または現在の残容量）が判別される。そして、これらの情報を、識別情報として偏重心量取得部３２に通知する。【００２５】
偏重心量取得部３２は、記録・再生部３４によって制御される通常の記録・再生動作に先だって行われる、偏重心量の取得動作を制御する。偏重心量取得部３２は、光ディスク識別部３１に対して、この光ディスクドライブに装着された光ディスク１の識別情報の取得を要求する。そして、得られた識別情報を用いて偏重心量テーブル４１を検索し、その識別情報に対応する偏重心量が登録されているか否かを判定する。【００２６】
対応する偏重心量が登録されていた場合、偏重心量取得部３２は、その偏重心量を読み出して記録・再生部３４に通知し、通常の記録・再生動作の実行を開始させる。一方、対応する偏重心量が登録されていなかった場合、偏重心量取得部３２は、偏重心量測定部３３に対して、偏重心量の測定を要求する。そして、得られた偏重心量を記録・再生部３４に通知して、通常の記録・再生動作の実行を開始させる。これとともに、得られた偏重心量を、光ディスク識別部３１からの識別情報に対応付けて、偏重心量テーブル４１に登録する。【００２７】
さらに、偏重心量取得部３２は、記録・再生部３４の制御による光ディスク１の通常の記録・再生動作中において、偏重心量テーブル４１に記録された、光ディスク１の記録データ量を更新する機能も備えている。【００２８】
偏重心量測定部３３は、偏重心量取得部３２からの要求に応じて、この光ディスクドライブに装着された光ディスク１の偏重心量を測定するための動作を開始させる。偏重心量の測定方法としては、例えば、光ピックアップ１２に対して、トラッキングがオフになる状態（すなわち、レーザ光が記録トラック上に位置していない状態）で光ディスク１に対してレーザ光を照射させ、そのときに受信されるトラックエラー信号の変動量を基に、偏重心量を換算する方法などを用いることができる。偏重心量測定部３３は、スピンドルモータドライバ２１や光ピックアップドライバ２２に対して、このような測定動作を実行させるための制御信号を供給する。そして、得られた偏重心量を偏重心量取得部３２に通知する。【００２９】
記録・再生部３４は、スピンドルモータドライバ２１や光ピックアップドライバ２２に対して制御信号を供給し、光ディスク１の再生動作や記録動作を実行させる。再生動作の際には、記録・再生部３４は、光ディスク１から読み取られた記録データを光ピックアップドライバ２２を通じて取得し、インタフェース回路５０を通じてホスト装置に送信する。また、記録動作の際には、記録・再生部３４は、ホスト装置からインタフェース回路５０を通じて送信された記録データを、光ピックアップドライバ２２を通じて光ディスク１に記録させる。【００３０】
これらの動作の際、記録・再生部３４は、偏重心量取得部３２から通知された偏重心量に基づいて、回転速度テーブル４２から光ディスク１の最適な最高回転数を読み出す。そして、その最高回転数の値を基に、スピンドルモータドライバ２１を通じて光ディスク１の回転数を制御する。【００３１】
また、記録・再生部３４は、さらに、光ディスク１に対する記録動作（データを消去する動作も含む）を行った場合には、その都度、光ディスクに記録されたデータ量を判別して、偏重心量取得部３２に通知する機能も備えている。【００３２】
図２は、偏重心量テーブルの構成例を示す図である。
図２に示す偏重心量テーブル４１では、“Ｎｏ．（ナンバー）”、“媒体種別”、“ＩＤ情報”、“記録データ量”および“偏重心量測定値”の５つの項目が設けられている。【００３３】
“Ｎｏ．”の項目には、この偏重心量テーブル４１に登録された光ディスクのそれぞれに順次付与される通し番号が格納される。
“媒体種別”の項目には、その光ディスクの種別を示す情報が格納される。この“媒体種別”を示す情報は、例えば、光ディスクのリードイン領域に記録された媒体識別情報から判別することができる。また、他の方法として、例えば、光ディスク上の所定の領域にレーザ光を照射し、その反射率を基に判別することもできる。【００３４】
“ＩＤ情報”の項目には、光ディスクの所定の領域から読み出した各種ＩＤ情報が格納される。図２の例では、光ディスクのリードイン領域から読み出した情報を示している。例えば、書き込み可能なＤＶＤ（Digital Versatile Disk）であるＤＶＤ−Ｒ（Recordable）、ＤＶＤ−ＲＷ（ReWritable）、ＤＶＤ＋Ｒ（ここでは２層式ＤＶＤ＋Ｒを例示している）では、リードイン領域内にコントロールデータ領域が設けられ、その領域内に、光ディスクの製造者を識別する製造者ＩＤが記録されているので、この情報を“ＩＤ情報”として格納することができる。なお、この製造者ＩＤは、通常、製造者を示す情報とともにその光ディスクのバージョン情報などを含んでいるため、これらの情報により光ディスクを製品ごとに識別可能である場合が多い。【００３５】
なお、記録可能なＤＶＤのうち、記録データの暗号化に対応しているものでは、光ディスク内側のＢＣＡ（Burst Cutting Area）と呼ばれる領域に、光ディスクごとに固有のディスクＩＤが記録されている。従って、この情報を“ＩＤ情報”として偏重心量テーブル４１に格納してもよい。この場合、後述するように“記録データ量”などの情報を用いなくても、“ＩＤ情報”のみによってその光ディスクを１枚ごとに識別できるようになる。【００３６】
一方、ＣＤ（Compact Disc）の場合、上記の製造者ＩＤは記録されていないが、ＣＤ−Ｒの場合には、リードイン領域に、全記録領域に対する１倍速での記録時間を示す情報が記録されている。図２の例では、この情報を“ＩＤ情報”として偏重心量テーブル４１に格納している。【００３７】
また、他の例として、ＣＤのリードイン領域内のＴＯＣ（Table of Contents）に、ボリュームネーム（Volume Name）と呼ばれる情報が記録されていた場合には、その情報を“ＩＤ情報”として偏重心量テーブル４１に格納してもよい。読み取り専用のＣＤの場合、ボリュームネームには、記録されたコンテンツごとに固有な識別情報が記録されていることが多い。【００３８】
ここで、“ＩＤ情報”に格納する情報は、“媒体種別”の情報とともに、光ディスクからできるだけ短時間で読み取ることが可能な情報であることが望ましい。そのためには、リードイン領域など、光ディスクの種別に関係なく光ディスク上のできるだけ同一の領域から読み取ることが可能な情報であることが望ましい。【００３９】
“記録データ量”の項目には、その光ディスクに現在記録されているデータのサイズが格納される。このような情報も、光ディスクのリードイン領域から取得できることが多い。なお、後述するように、“記録データ量”の値は、光ディスクに対する記録動作（消去動作を含む）が実行されるたびに、偏重心量取得部３２によって更新される。【００４０】
“偏重心量測定値”の項目には、偏重心量測定部３３によって測定された偏重心量の測定値が格納される。
以上の偏重心量テーブル４１において、“媒体種別”、“ＩＤ情報”および“記録データ量”の各項目の情報は、光ディスク識別部３１の制御によって光ディスクから読み取られる情報である。そして、これらの情報の組み合わせが、光ディスクドライブに装着された光ディスクを、可能な限り１枚ずつ個別に識別できるようにするための識別情報として用いられる。従って、偏重心量テーブル４１には、光ディスクを１枚ずつ識別可能にする識別情報に対して、それらの光ディスクのそれぞれから実測された偏重心量が、“偏重心量測定値”の項目に対応付けて記録されることになる。【００４１】
このような偏重心量テーブル４１においては、新たな光ディスク（すなわち、“媒体種別”、“ＩＤ情報”、“記録データ量”および“偏重心量測定値”の各情報のうち少なくとも１つが、すでに登録されている光ディスクの情報と一致しない光ディスク）が光ディスクドライブに最初に装着されたとき、あるいは、最初に記録または再生の動作が行われるときに、新たな“Ｎｏ．”の値が生成されるとともに、その“Ｎｏ．”に対応する“媒体種別”、“ＩＤ情報”、“記録データ量”および“偏重心量測定値”の各情報が格納される。【００４２】
図３は、回転速度テーブルの構成例を示す図である。
図３に示すように、回転速度テーブル４２には、光ディスクの種別ごとに、測定された偏重心量のしきい値範囲と、許容される最高回転速度とが対応付けられて記憶されている。また、最高回転速度の値は、記録時および再生時についてそれぞれ個別に記憶されている。通常、偏重心量が小さいほど、最高回転速度を高くすることができる。なお、回転速度テーブル４２において、光ディスクの種別を示す“媒体種別”の内容は、図２に示した偏重心量テーブル４１における“媒体種別”の情報と対応している。【００４３】
次に、本実施の形態の光ディスクドライブの動作について説明する。
まず、図４は、光ディスクの記録または再生を行う際の処理全体の手順を示すフローチャートである。【００４４】
光ディスクドライブでは、記録または再生の動作が開始される前に、コントローラ３０の制御により、装着された光ディスク１についての偏重心量を取得するための処理が実行される（ステップＳ１１）。このとき取得された偏重心量は、偏重心量取得部３２から記録・再生部３４に通知される。【００４５】
このステップＳ１１の処理は、光ディスクドライブに対して光ディスク１が装着されたときに実行される。あるいは、インタフェース回路５０を通じて、ホスト装置からコントローラ３０に対して、光ディスク１の記録動作または再生動作が要求されたときに実行されてもよい。あるいは、光ディスク１が装着されている状態で、光ディスクドライブの電源がオフからオンになったときに実行されてもよい。【００４６】
記録・再生部３４は、偏重心量を受け取ると、回転速度テーブル４２を参照し、受け取った偏重心量に対応する最高回転速度を読み出す（ステップＳ１２）。このとき、ホスト装置からの記録または再生の動作要求に応じて、要求されている動作（すなわち、記録または再生のいずれか）に対応する最高回転速度を読み出す。【００４７】
そして、記録・再生部３４は、読み出した最高回転速度が、スピンドルモータドライバ２１における回転速度の最高値となるように、光ディスク１の記録または再生の動作を開始させる（ステップＳ１３）。【００４８】
また、この動作において、光ディスク１に対するデータの記録やデータの消去が行われた場合には、偏重心量テーブル４１における“記録データ量”の情報が更新される（ステップＳ１４）。記録・再生部３４は、データの記録や消去が実行されるたびに、光ディスク１における現在の記録データ量を取得して、偏重心量取得部３２に通知する。偏重心量取得部３２は、通知された記録データ量を、偏重心量テーブル４１における該当する“記録データ量”の欄に上書きする。【００４９】
図５は、光ディスクドライブにおける偏重心量の取得処理の手順を示すフローチャートである。
まず、光ディスク識別部３１の制御により、光ディスク１についての識別情報が取得される（ステップＳ２１）。この処理では、スピンドルモータ１１により光ディスク１が所定の速度で回転され、光ピックアップ１２により光ディスク１に所定の領域（例えばリードイン領域）から情報が読み取られる。これにより、光ディスク識別部３１は、偏重心量テーブル４１における“媒体種別”、“ＩＤ情報”および“記録データ量”の各項目に対応する情報（識別情報）を取得し、偏重心量取得部３２に通知する。なお、図２に示したように、光ディスク１の種別によっては、“ＩＤ情報”に対応する情報が取得できない場合があってもよい。【００５０】
偏重心量取得部３２は、通知された識別情報を用いて偏重心量テーブル４１を検索し（ステップＳ２２）、その識別情報に含まれる各情報の組み合わせが偏重心量テーブル４１に存在するか否か、すなわち、その識別情報に対応する光ディスクの情報が登録されているか否かを判定する（ステップＳ２３）。【００５１】
識別情報に対応する光ディスクの情報が登録されていた場合、偏重心量取得部３２は、その情報のうち“偏重心量測定値”の欄の情報を読み出す（ステップＳ２４）。そして、読み出した値を、記録・再生部３４に対して通知する（ステップＳ２５）。【００５２】
一方、識別情報に対応する光ディスクの情報が登録されていなかった場合、偏重心量取得部３２は、偏重心量測定部３３に対して、装着されている光ディスク１の偏重心量を測定するように要求する。偏重心量測定部３３は、この要求に応じて光ディスク１を回転させ、偏重心量の測定動作を実行させる（ステップＳ２６）。そして、偏重心量測定部３３は、得られた偏重心量の測定値を、偏重心量取得部３２に通知する。【００５３】
偏重心量取得部３２は、偏重心量テーブル４１に対して、新たな“Ｎｏ．”の値を登録するとともに、その情報に対応付けて、ステップＳ２１で取得した識別情報を登録する。そして、それらの情報に対応付けて、偏重心量測定部３３から通知された偏重心量の測定値を“偏重心量測定値”の欄に登録する（ステップＳ２７）。さらに、通知された偏重心量を、記録・再生部３４に対して通知する（ステップＳ２５）。【００５４】
以上の処理によれば、光ディスク１が装着された直後、あるいは、その光ディスク１の記録または再生の動作を開始する前に、その光ディスク１に対応する偏重心量の測定値が偏重心量テーブル４１に登録されていれば、偏重心量の測定動作を実行することなく、記録または再生の動作を開始することが可能になる。従って、記録や再生の動作を短時間で開始することができる。また、偏重心量の測定動作時において光ディスク１が回転することによる騒音の発生も防止することができ、ユーザの使用感を向上させることができる。【００５５】
また、装着された光ディスク１に対応する偏重心量を読み出すために用いられる光ディスク１の識別情報として、光ディスク１に現在記録されているデータ量を用いることで、例えば、この光ディスク１を一意に識別できるような情報が光ディスク１のリードイン領域などに記録されていない場合でも、光ディスク１を１枚ごとに識別できる可能性が高くなる。【００５６】
なお、上記の実施の形態では、光ディスクの偏重心量を、記録または再生の動作時における最高回転速度を決定するために用いたが、偏重心量は、記録または再生の動作制御における他の目的のために用いられてもよい。【００５７】
次に、上記機能を備えた光ディスクドライブを含むシステムについて説明する。
図６は、実施の形態に係るネットワークシステムの第１の構成例を示す図である。
図６に示すネットワークシステムは、光ディスクドライブ１１０が接続されたホスト装置２１０と、光ディスクドライブ１２０が接続されたホスト装置２２０とが、ネットワーク３００を通じて相互に接続された構成を有している。なお、ネットワーク３００は、例えばＬＡＮ（Local Area Network）などとして実現される。【００５８】
光ディスクドライブ１１０，１２０は、ともに、図１で説明した光ディスクドライブと同様のハードウェア構成および機能を備えている。また、光ディスクドライブ１１０は、コントローラ３０の機能として、ホスト装置２１０からの要求に応じて、偏重心量テーブル４１に対して情報を登録するための偏重心量登録部１１１をさらに備えている。一方、光ディスクドライブ１２０は、コントローラ３０の機能として、ホスト装置２２０からの要求に応じて、偏重心量テーブル４１から情報を読み出すための偏重心量読み出し部１２１をさらに備えている。【００５９】
ホスト装置２１０，２２０は、それぞれ光ディスクドライブ１１０，１２０に装着された光ディスクに対するデータの記録や、その光ディスクからのデータの読み出しが可能となっている。なお、光ディスクドライブ１１０，１２０の少なくとも一方は、光ディスクからのデータの再生のみ実行可能であってもよい。【００６０】
ホスト装置２１０は、上記機能の他に、偏重心量登録部１１１と協働して、ネットワーク３００に接続された他の機器（ここでは例としてホスト装置２２０）から偏重心量を読み込み、その情報を光ディスクドライブ１１０の偏重心量テーブル４１に登録するための機能を備えている。このための機能として、ホスト装置２１０には、ドライブ探索部２１１、偏重心量受信部２１２および偏重心量登録要求部２１３が設けられている。これらの機能は、例えば、専用のアプリケーションプログラムを、ホスト装置２１０が備えるＣＰＵ（Central Processing Unit）が実行することによって実現される。【００６１】
ドライブ探索部２１１は、ネットワーク３００に接続された他の装置を探索し、それらの装置の中から光ディスクドライブに接続された装置を探索する。偏重心量受信部２１２は、探索された他の装置に接続された光ディスクドライブ内の偏重心量テーブル４１の登録情報を、その装置から受信する。偏重心量登録要求部２１３は、偏重心量受信部２１２により受信された情報を偏重心量登録部１１１に転送し、光ディスクドライブ１１０内の偏重心量テーブル４１を更新させる。【００６２】
一方、ホスト装置２２０は、上記機能の他に、ネットワーク３００に接続された他の機器（ここでは例としてホスト装置２１０）からの要求に応じて、偏重心量読み出し部１２１と協働して、光ディスクドライブ１２０の偏重心量テーブル４１から偏重心量を読み出し、これを返信するための機能を備えている。このための機能として、ホスト装置２２０には、偏重心量読み出し要求部２２１および偏重心量送信部２２２が設けられている。これらの機能は、例えば、専用のアプリケーションプログラムを、ホスト装置２２０が備えるＣＰＵが実行することによって実現される。【００６３】
偏重心量読み出し要求部２２１は、偏重心量読み出し部１２１を通じて、光ディスクドライブ１２０に保持された偏重心量テーブル４１の登録情報を読み出す。偏重心量送信部２２２は、読み出された登録情報を、ネットワーク３００を通じて要求元の装置（ここではホスト装置２１０）に対して送信する。【００６４】
なお、ホスト装置２１０と光ディスクドライブ１１０、および、ホスト装置２２０と光ディスクドライブ１２０は、それぞれ同一の装置内に一体に設けられていてもよい。また、光ディスクドライブ１１０，１２０は、それぞれ偏重心量登録部１１１と偏重心量読み出し部１２１の両方の機能を備えていてもよい。この場合、ホスト装置２１０も、偏重心量読み出し要求部２２１および偏重心量送信部２２２の機能を備えている必要があり、また、ホスト装置２２０も、ドライブ探索部２１１、偏重心量受信部２１２および偏重心量登録要求部２１３の各機能を備えている必要がある。【００６５】
図７は、ホスト装置のハードウェア構成例を示す図である。
図７では、ホスト装置２１０としてコンピュータを想定した場合のハードウェア構成の例を示している。このコンピュータは、ＣＰＵ２０１、ＲＡＭ（Random Access Memory）２０２、ＨＤＤ（Hard Disk Drive）２０３、グラフィック処理部２０４、入力インタフェース２０５、入出力インタフェース２０６および通信インタフェース２０７を有し、これらはバス２０８を介して相互に接続されている。【００６６】
ＣＰＵ２０１は、このコンピュータ全体を統括的に制御する。ＲＡＭ２０２は、ＣＰＵ２０１に実行させるプログラムの少なくとも一部や、このプログラムによる処理に必要な各種データを一時的に記憶する。ＨＤＤ２０３には、ＯＳ（Operating System）やアプリケーションプログラム、各種データが格納される。このアプリケーションプログラムには、図６に示したドライブ探索部２１１、偏重心量受信部２１２および偏重心量登録要求部２１３の各処理手順を記述したプログラムが含まれる。【００６７】
グラフィック処理部２０４には、モニタ２０４ａが接続されている。このグラフィック処理部２０４は、ＣＰＵ２０１からの命令に従って、モニタ２０４ａの画面上に画像を表示させる。入力インタフェース２０５には、キーボード２０５ａやマウス２０５ｂが接続されている。この入力インタフェース２０５は、キーボード２０５ａやマウス２０５ｂからの信号を、バス２０８を介してＣＰＵ２０１に送信する。【００６８】
入出力インタフェース２０６は、図示しない通信端子を介して、外部の拡張機器との間でデータの送受信を行う。本実施の形態では、入出力インタフェース２０６に対して、光ディスクドライブ１１０のインタフェース回路５０が接続され、これによりホスト装置２１０と光ディスクドライブ１１０との間でデータが送受信される。【００６９】
通信インタフェース２０７は、図示しない通信ケーブルを介して、ホスト装置２２０など、ネットワーク３００に接続された他の装置との間でデータの送受信を行う。
なお、ホスト装置２２０も、図７と同様の構成を有するコンピュータとして実現可能である。この場合、偏重心量読み出し要求部２２１および偏重心量送信部２２２の処理手順を記述したプログラムが、ＨＤＤに格納されて、このプログラムがＣＰＵにより実行される。【００７０】
次に、上記システムの動作について説明する。ここでは、ホスト装置２１０での処理手順をフローチャートに図示し、必要に応じて、これに協働する他の装置や機能の処理についても説明する。【００７１】
図８は、偏重心量の受信側のホスト装置での処理手順を示すフローチャートである。
ホスト装置２１０では、図８に示す処理が所定のタイミングで実行される。このタイミングとしては、例えば、ホスト装置２１０の電源投入時、タイマにより設定された時刻（１日１回など）などが考えられる。あるいは、図８に示す処理が一定時間ごとに実行されてもよい。さらに、ユーザの入力操作に応じて任意のタイミングで実行可能であってもよい。【００７２】
ドライブ探索部２１１は、ホスト装置２１０に接続された光ディスクドライブ１１０の機種名を取得する（ステップＳ３１）。この機種名は、例えば、光ディスクドライブ１１０のドライバを通じて“Ｉｎｑｕｉｒｙ”として取得可能である。【００７３】
次に、ドライブ探索部２１１は、ネットワーク３００に接続された他の装置を、例えばＩＰ（Internet Protocol）アドレスの値が小さい順に、１台探索する（ステップＳ３２）。ここで、未探索の装置が存在するか否かが判定され（ステップＳ３３）、存在する場合にはステップＳ３４の処理が実行され、存在しない場合には、処理が終了される。【００７４】
未探索の装置が存在した場合、ドライブ探索部２１１は、その装置に対して光ディスクドライブが接続されているか否かを判定する（ステップＳ３４）。この処理では、ドライブ探索部２１１から、探索された装置に対して、接続されている機器の情報について問い合わせが行われる。探索された装置（例えば、ホスト装置２２０）では、例えばＯＳの機能により、ホスト装置２１０からの問い合わせに応じて、自機に接続された機器の情報を返信する。なお、この返信機能は、問い合わせを受けた装置における偏重心量読み出し要求部２２１または偏重心量送信部２２２の処理により実現されてもよい。【００７５】
ドライブ探索部２１１は、探索された装置に光ディスクドライブが接続されていなかった場合には、ステップＳ３２の処理に戻って、ネットワーク３００に接続された別の装置を探索する。【００７６】
一方、探索された装置に光ディスクドライブが接続されていた場合には、ドライブ探索部２１１は、その光ディスクドライブが自機に接続された光ディスクドライブ１１０と同じ機種であるか否かを判定する（ステップＳ３５）。この処理では、ドライブ探索部２１１から、探索された装置に対して、接続されている光ディスクドライブの機種名について問い合わせが行われる。探索された装置（例えば、ホスト装置２２０）は、例えばＯＳおよびドライバの機能により、ホスト装置２１０からの問い合わせに応じて、自機に接続された光ディスクドライブの機種名（例えば“Ｉｎｑｕｉｒｙ”の情報）を返信する。なお、この返信機能も、問い合わせを受けた装置における偏重心量読み出し要求部２２１または偏重心量送信部２２２の処理により実現されてもよい。【００７７】
なお、ステップＳ３４，Ｓ３５の各判定処理は、接続機器およびその機種名を一度に問い合わせることによって実行されてもよい。
ドライブ探索部２１１は、探索された装置に接続された光ディスクドライブが、自機に接続された光ディスクドライブ１１０と同一機種でなかった場合には、ステップＳ３２の処理に戻って、ネットワーク３００に接続された別の装置を探索する。【００７８】
一方、探索された装置に接続された光ディスクドライブが、自機に接続された光ディスクドライブ１１０と同一機種であった場合には、偏重心量受信部２１２の処理が開始される。偏重心量受信部２１２は、探索された装置に対して、その装置に接続された光ディスクドライブから、偏重心量テーブル４１の登録情報を読み出して送信するように要求する（ステップＳ３６）。【００７９】
この要求を受けた装置（ここではホスト装置２２０とする）は、偏重心量読み出し要求部２２１の機能により、接続された光ディスクドライブ１２０に対して、偏重心量テーブル４１の登録情報の読み出しを要求する。要求を受けた光ディスクドライブ１２０は、偏重心量読み出し部１２１の機能により、偏重心量テーブル４１に登録された情報を読み出し、偏重心量読み出し要求部２２１に返信する。このとき、前回要求を受けた時点から現在までに更新された情報のみが、偏重心量読み出し要求部２２１に返信されてもよい。偏重心量読み出し要求部２２１は、返信された情報を偏重心量送信部２２２に受け渡して、ネットワーク３００を通じてホスト装置２１０に送信させる。【００８０】
偏重心量受信部２１２は、探索された装置から受信した情報を偏重心量登録要求部２１３に受け渡す。偏重心量登録要求部２１３は、受け取った情報を、自機に接続された光ディスクドライブ１１０の偏重心量登録部１１１に転送し、偏重心量テーブル４１に登録するように要求する（ステップＳ３７）。偏重心量登録部１１１は、この要求に応じて、偏重心量テーブル４１への登録処理を実行する。このとき、同じ識別情報（図２に示した“媒体種別”、“ＩＤ情報”および“記録データ量”の各情報）を有する登録情報がすでに存在する場合には、例えば、常にその識別情報に対応する“偏重心量測定値”の情報を更新するようにしてもよい。あるいは、探索された装置から、偏重心量テーブル４１に登録された光ディスクごとの登録情報とともに最終更新日時の情報も受け取るようにし、その最終更新日時が、登録先の偏重心量テーブル４１における対応する情報の最終更新日時より新しい場合のみ、情報の更新を行ってもよい。【００８１】
ステップＳ３７の処理が終了した後、ドライブ探索部２１１は、ステップＳ３２の処理に戻って、ネットワーク３００に接続された別の装置を探索する。
以上の処理によれば、１つの光ディスクドライブが保持する偏重心量テーブル４１の登録情報を、他の光ディスクドライブでも共用できるようになる。このため、登録情報を他の装置から受け取った光ディスクドライブでは、自機が保持する偏重心量テーブル４１を参照することで、装着された光ディスクの偏重心量を測定する機会をより少なくすることができ、記録や再生の動作を一層短時間で開始できるようになる。【００８２】
ここで、上記のネットワークシステムにおいては、ホスト装置２２０側の光ディスクドライブ１２０では、偏重心量測定部３３によって偏重心量が測定された場合に、偏重心量取得部３２によってその測定値が偏重心量テーブル４１に登録されることが望ましい。一方、ホスト装置２１０側の光ディスクドライブ１１０では、上記の処理により、ホスト装置２２０から最新の偏重心量テーブル４１の登録情報を受け取ることができる。このため、光ディスクドライブ１１０では、偏重心量測定部３３によって偏重心量が測定された場合に、偏重心量取得部３２によってその測定値が必ずしも偏重心量テーブル４１に登録される必要はない。【００８３】
なお、上記の図８の処理では、探索された他の装置に接続された光ディスクドライブが、自機に接続された光ディスクドライブと同じ機種か否かを判定しているが、この判定処理は、探索された装置が偏重心量の読み出し・送信機能（すなわち、偏重心量読み出し部１２１、偏重心量読み出し要求部２２１および偏重心量送信部２２２の各機能）を備えているか否かを判定する目的で行われている。従って、このような機能の有無の判定が他の方法によって可能であれば、機種名の要求や判定を行う必要はない。例えば、探索された装置側のＯＳなどの機能により、少なくとも、上記の読み出し・送信機能を備えている場合には、そのことを探索元の装置に対して通知するようにしてもよい。【００８４】
ところで、上記のネットワークシステムでは、ホスト装置２１０側からの要求に応じて、他の装置（ホスト装置２２０など）からホスト装置２１０に対して、偏重心量テーブル４１の登録情報を送信していた。これに対して、次の図９に示すネットワークシステムでは、ホスト装置が、自機に接続された光ディスクドライブ内の偏重心量テーブル４１の登録情報を、他の装置に対して送信する。【００８５】
図９は、実施の形態に係るネットワークシステムの第２の構成例を示す図である。
図９に示すネットワークシステムは、光ディスクドライブ１３０が接続されたホスト装置２３０と、光ディスクドライブ１４０が接続されたホスト装置２４０とが、ネットワーク３００を通じて相互に接続された構成を有している。【００８６】
光ディスクドライブ１３０，１４０は、ともに、図１で説明した光ディスクドライブと同様のハードウェア構成および機能を備えている。また、光ディスクドライブ１３０は、コントローラ３０の機能として、ホスト装置２３０からの要求に応じて、偏重心量テーブル４１から情報を読み出すための偏重心量読み出し部１３１をさらに備えている。一方、光ディスクドライブ１４０は、ホスト装置２４０からの要求に応じて、偏重心量テーブル４１に対して情報を登録するための偏重心量登録部１４１をさらに備えている。【００８７】
ホスト装置２３０，２４０は、それぞれ光ディスクドライブ１３０，１４０に装着された光ディスクに対するデータの記録や、その光ディスクからのデータの読み出しが可能となっている。ホスト装置２３０，２４０は、例えば、図７に示した構成のコンピュータなどとして実現される。なお、光ディスクドライブ１３０，１４０の少なくとも一方は、光ディスクからのデータの再生のみ実行可能であってもよい。【００８８】
ホスト装置２３０は、上記機能の他に、偏重心量読み出し部１３１と協働して、ネットワーク３００に接続された他の機器（ここでは例としてホスト装置２４０）に対して、光ディスクドライブ１３１の偏重心量テーブル４１の登録情報を送信するための機能を備えている。このための機能として、ホスト装置２３０には、偏重心量読み出し要求部２３１、ドライブ探索部２３２および偏重心量送信部２３３が設けられている。これらの機能は、例えば、専用のアプリケーションプログラムを、ホスト装置２３０が備えるＣＰＵが実行することによって実現される。【００８９】
偏重心量読み出し要求部２３１は、偏重心量読み出し部１３１を通じて、光ディスクドライブ１３０に保持された偏重心量テーブル４１の登録情報を読み出す。ドライブ探索部２３２は、ネットワーク３００に接続された他の装置を探索し、それらの装置の中から光ディスクドライブに接続された装置を探索する。偏重心量送信部２３３は、探索された装置に対して、読み出された登録情報をネットワーク３００を通じて送信する。【００９０】
一方、ホスト装置２４０は、上記機能の他に、ネットワーク３００に接続された他の機器（ここでは例としてホスト装置２３０）から送信された情報を、光ディスクドライブ１４０内の偏重心量テーブル４１に登録するための機能を備えている。このための機能として、ホスト装置２４０には、偏重心量受信部２４１および偏重心量登録要求部２４２が設けられている。これらの機能は、例えば、専用のアプリケーションプログラムを、ホスト装置２４０が備えるＣＰＵが実行することによって実現される。【００９１】
偏重心量受信部２４１は、他の装置に接続された光ディスクドライブ内の偏重心量テーブル４１の登録情報を、その装置から受信する。偏重心量登録要求部２４２は、偏重心量受信部２４１により受信された情報を偏重心量登録部１４１に転送し、光ディスクドライブ１４０内の偏重心量テーブル４１を更新させる。【００９２】
なお、ホスト装置２３０と光ディスクドライブ１３０、および、ホスト装置２４０と光ディスクドライブ１４０は、それぞれ同一の装置内に一体に設けられていてもよい。また、光ディスクドライブ１３０，１４０は、それぞれ偏重心量読み出し部１３１と偏重心量登録部１４１の両方の機能を備えていてもよい。この場合、ホスト装置２３０も、偏重心量受信部２４１および偏重心量登録要求部２４２の機能を備えている必要があり、また、ホスト装置２４０も、偏重心量読み出し要求部２３１、ドライブ探索部２３２および偏重心量送信部２３３の各機能を備えている必要がある。【００９３】
次に、上記システムの動作について説明する。ここでは、ホスト装置２３０での処理手順をフローチャートに図示し、必要に応じて、これに協働する他の装置や機能の処理についても説明する。【００９４】
図１０は、偏重心量の送信側のホスト装置での処理手順を示すフローチャートである。
ホスト装置２３０では、図１０に示す処理が所定のタイミングで実行される。このタイミングとしては、例えば、ホスト装置２３０の電源投入時、タイマにより設定された時刻（１日１回など）などが考えられる。あるいは、図１０に示す処理が一定時間ごとに実行されてもよい。さらに、ユーザの入力操作に応じて任意のタイミングで実行可能であってもよい。【００９５】
偏重心量読み出し要求部２３１は、光ディスクドライブ１３０の偏重心量読み出し部１３１を通じて、光ディスクドライブ１３０が保持する偏重心量テーブル４１の登録情報を取得する（ステップＳ４１）。この処理では、偏重心量読み出し部１３１は、偏重心量読み出し要求部２３１からの要求に応じて、偏重心量テーブル４１に登録された情報を読み出して返信する。このとき、前回の読み出し時から現在までに偏重心量テーブル４１が更新されていた場合にのみ、登録情報を読み出して返信してもよい。その場合、更新された情報のみを読み出して返信してもよい。なお、このような処理では、偏重心量テーブル４１が更新されていなかった場合には、ステップＳ４２以降の処理は実行されない。【００９６】
次に、ドライブ探索部２３２は、ホスト装置２３０に接続された光ディスクドライブ１３０の機種名を取得する（ステップＳ４２）。
次に、ドライブ探索部２３２は、ネットワーク３００に接続された他の装置を、例えばＩＰアドレスの値が小さい順に１台探索する（ステップＳ４３）。ここで、未探索の装置が存在するか否かが判定され（ステップＳ４４）、存在する場合にはステップＳ４５の処理が実行され、存在しない場合には、処理が終了される。【００９７】
未探索の装置が存在した場合、ドライブ探索部２３２は、その装置に対して光ディスクドライブが接続されているか否かを判定する（ステップＳ４５）。ドライブ探索部２３２は、その装置に光ディスクドライブが接続されていなかった場合には、ステップＳ４３の処理に戻って、ネットワーク３００に接続された別の装置を探索する。一方、探索された装置に光ディスクドライブが接続されていた場合には、ドライブ探索部２３２は、その光ディスクドライブが自機に接続された光ディスクドライブ１３０と同じ機種であるか否かを判定する（ステップＳ４６）。【００９８】
なお、以上のステップＳ４２〜Ｓ４６の基本的な処理手順は、図８に示したステップＳ３１〜Ｓ３５での各処理手順と同様である。
ドライブ探索部２３２は、探索された装置に接続された光ディスクドライブが、自機に接続された光ディスクドライブ１３０と同一機種でなかった場合には、ステップＳ４３の処理に戻って、ネットワーク３００に接続された別の装置を探索する。【００９９】
一方、探索された装置に接続された光ディスクドライブが、自機に接続された光ディスクドライブ１３０と同一機種であった場合には、偏重心量送信部２３３は、探索された装置に対して、偏重心量読み出し要求部２３１が光ディスクドライブ１３０から取得した情報を送信して、その送信先装置に接続された光ディスクドライブが保持する偏重心量テーブル４１に対して登録するように要求する（ステップＳ４７）。【０１００】
送信先装置（ここではホスト装置２４０とする）において、偏重心量受信部２４１は、ホスト装置２３０からの受信情報と登録要求とを受け付け、受信情報を偏重心量登録要求部２４２に受け渡す。偏重心量登録要求部２４２は、受け取った情報を、光ディスクドライブ１４０の偏重心量登録部１４１に転送し、光ディスクドライブ１４０内の偏重心量テーブル４１に対して登録するように要求する。これにより、光ディスクドライブ１４０内の偏重心量テーブル４１が更新される。【０１０１】
ステップＳ４７の処理が終了した後、ホスト装置２３０のドライブ探索部２３２は、ステップＳ４３の処理に戻って、ネットワーク３００に接続された別の装置を探索する。
以上の処理によれば、１つの光ディスクドライブが保持する偏重心量テーブル４１の登録情報を、他の光ディスクドライブでも共用できるようになる。このため、登録情報を他の装置から受け取った光ディスクドライブでは、自機が保持する偏重心量テーブル４１を参照することで、装着された光ディスクの偏重心量を測定する機会をより少なくすることができ、記録や再生の動作を一層短時間で開始できるようになる。【０１０２】
ここで、上記のネットワークシステムにおいては、ホスト装置２３０側の光ディスクドライブ１３０では、偏重心量測定部３３によって偏重心量が測定された場合に、偏重心量取得部３２によってその測定値が偏重心量テーブル４１に登録されることが望ましい。一方、ホスト装置２４０側の光ディスクドライブ１４０では、上記の処理により、ホスト装置２３０から最新の偏重心量テーブル４１の登録情報を受け取ることができる。このため、光ディスクドライブ１４０では、偏重心量測定部３３によって偏重心量が測定された場合に、偏重心量取得部３２によってその測定値が必ずしも偏重心量テーブル４１に登録される必要はない。【０１０３】
なお、上記の図１０の処理でも、図８の場合と同様に、探索された他の装置に接続された光ディスクドライブが、自機に接続された光ディスクドライブと同じ機種か否かを判定しているが、この判定処理は、探索された装置が偏重心量のネットワーク３００を介した受信・登録機能（すなわち、偏重心量登録部１４１、偏重心量受信部２４１および偏重心量登録要求部２４２の各機能）を備えているか否かを判定する目的で行われている。従って、このような機能の有無の判定が他の方法によって可能であれば、機種名の要求や判定を行う必要はない。【０１０４】
なお、以上の実施の形態では、記録媒体のドライブ装置として光ディスクドライブを例示したが、例えば光磁気ディスクなど、他の種類の可搬型の円盤状記録媒体の記録または再生、またはその両方が可能なドライブ装置を適用することも可能である。【０１０５】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【０１０６】
１  光ディスク
１１  スピンドルモータ
１２  光ピックアップ
２１  スピンドルモータドライバ
２２  光ピックアップドライバ
３０  コントローラ
３１  光ディスク識別部
３２  偏重心量取得部
３３  偏重心量測定部
３４  記録・再生部
４０  フラッシュメモリ
４１  偏重心量テーブル
４２  回転速度テーブル
５０  インタフェース回路
【図１】
2010016135.tif 000003
【図２】
2010016135.tif 000004
【図３】
2010016135.tif 000005
【図４】
2010016135.tif 000006
【図５】
2010016135.tif 000007
【図６】
2010016135.tif 000008
【図７】
2010016135.tif 000009
【図８】
2010016135.tif 000010
【図９】
2010016135.tif 000011
【図１０】
2010016135.tif 000012
【手続補正書】
【提出日】平成23年1月7日(2011.1.7)
【手続補正１】
【補正対象書類名】特許請求の範囲
【補正対象項目名】全文
【補正方法】変更
【補正の内容】
【特許請求の範囲】
【請求項１】
円盤状記録媒体に対する信号の記録またはその記録信号の再生を行うドライブ装置において、
記録媒体を識別するための識別情報ごとに偏重心量の測定値を対応付けて記憶する偏重心量記憶部と、
当該ドライブ装置に装着された記録媒体から読み取った情報を基に、当該記録媒体についての前記識別情報を取得する媒体識別部と、
装着された記録媒体を回転させてその偏重心量を測定する偏重心量測定部と、
前記媒体識別部からの前記識別情報に対応する偏重心量の測定値が、前記偏重心量記憶部に記憶されているか否かを判定し、対応する測定値が記憶されていた場合には、当該測定値を読み出して、装着された記録媒体の記録または再生の動作制御に必要な制御情報として出力し、対応する測定値が記憶されていなかった場合には、前記偏重心量測定部に偏重心量を測定させ、得られた測定値を前記制御情報として出力する偏重心量出力部と、
を有することを特徴とするドライブ装置。
【請求項２】
前記偏重心量出力部は、前記媒体識別部からの前記識別情報に対応する偏重心量の測定値が、前記偏重心量記憶部に記憶されていなかった場合には、前記偏重心量測定部に偏重心量を測定させ、得られた測定値を前記媒体識別部からの前記識別情報に対応付けて前記偏重心量記憶部に登録するとともに、当該測定値を前記制御情報として出力することを特徴とする請求項１記載のドライブ装置。
【請求項３】
前記識別情報は、記録媒体の種別と、当該記録媒体に現在記録されているデータ量とを含むことを特徴とする請求項１または２記載のドライブ装置。
【請求項４】
前記識別情報は、ともに記録媒体上の所定の記録領域から読み出した、当該記録媒体の製造者を示す情報と、当該記録媒体のバージョンを示す情報とを有する製造者情報を含むことを特徴とする請求項１〜３のいずれか１項に記載のドライブ装置。
【請求項５】
前記偏重心量記憶部は、記録媒体の種別、当該記録媒体に現在記録されているデータ量、当該記録媒体の製造者を示す情報と当該記録媒体のバージョンを示す情報とを有する製造者情報のうち、少なくとも２種類の情報を前記識別情報として記憶することを特徴とする請求項１または２記載のドライブ装置。
【請求項６】
記録媒体の偏重心量と記録媒体の最高回転速度とを対応付けて記憶する回転速度記憶部と、
前記偏重心量出力部から出力された偏重心量を前記制御情報として受け取り、前記回転速度記憶部を参照して、当該偏重心量に対応する前記最高回転速度を読み出し、当該最高回転速度に基づいて記録媒体の記録または再生の動作を制御する動作制御部と、
をさらに有することを特徴とする請求項１〜５のいずれか１項に記載のドライブ装置。
【請求項７】
円盤状記録媒体のドライブ装置と、前記ドライブ装置を用いて記録媒体に対する信号の記録またはその記録信号の再生を行うことが可能なホスト装置とを備えた情報処理装置において、
前記ドライブ装置は、
記録媒体を識別するための識別情報ごとに偏重心量の測定値を対応付けて記憶する偏重心量記憶部と、
当該ドライブ装置に装着された記録媒体から読み取った情報を基に、当該記録媒体についての前記識別情報を取得する媒体識別部と、
装着された記録媒体を回転させてその偏重心量を測定する偏重心量測定部と、
前記媒体識別部からの前記識別情報に対応する偏重心量の測定値が、前記偏重心量記憶部に記憶されているか否かを判定し、対応する測定値が記憶されていた場合には、当該測定値を読み出して、装着された記録媒体の記録または再生の動作制御に必要な制御情報として出力し、対応する測定値が記憶されていなかった場合には、前記偏重心量測定部に偏重心量を測定させ、得られた測定値を前記制御情報として出力する偏重心量出力部と、
前記ホスト装置からの要求に応じて、前記偏重心量記憶部に対して情報を登録する情報登録部と、
を有し、
前記ホスト装置は、
当該ホスト装置にネットワークを通じて接続された他のホスト装置から、前記識別情報ごとに偏重心量の測定値を対応付けた偏重心量情報を受信する情報受信部と、
前記情報受信部により受信された情報を前記情報登録部に転送して、前記ドライブ装置の前記偏重心量記憶部に登録させる登録要求部と、
を有することを特徴とする情報処理装置。
【請求項８】
前記ホスト装置は、前記ネットワークに接続された、他のドライブ装置に接続した前記他のホスト装置を探索する装置探索部をさらに有し、
あらかじめ決められたタイミングで前記装置探索部に探索処理を実行させ、探索された前記他のホスト装置から、前記情報受信部に前記偏重心量情報を受信させて、その受信情報を前記登録要求部に登録させることを特徴とする請求項７記載の情報処理装置。
【請求項９】
前記ホスト装置は、前記他のホスト装置からの要求に応じて、前記情報受信部および前記登録要求部の処理を実行することを特徴とする請求項７記載の情報処理装置。
【請求項１０】
円盤状記録媒体のドライブ装置と、前記ドライブ装置を用いて記録媒体に対する信号の記録またはその記録信号の再生を行うことが可能なホスト装置とを備えた情報処理装置において、
前記ドライブ装置は、
記録媒体を識別するための識別情報ごとに偏重心量の測定値を対応付けて記憶する偏重心量記憶部と、
当該ドライブ装置に装着された記録媒体から読み取った情報を基に、当該記録媒体についての前記識別情報を取得する媒体識別部と、
装着された記録媒体を回転させてその偏重心量を測定する偏重心量測定部と、
前記媒体識別部からの前記識別情報に対応する偏重心量の測定値が、前記偏重心量記憶部に記憶されているか否かを判定し、対応する測定値が記憶されていた場合には、当該測定値を読み出して、装着された記録媒体の記録または再生の動作制御に必要な制御情報として出力し、対応する測定値が記憶されていなかった場合には、前記偏重心量測定部に偏重心量を測定させ、得られた測定値を前記媒体識別部からの前記識別情報に対応付けて前記偏重心量記憶部に登録するとともに、当該測定値を前記制御情報として出力する偏重心量出力部と、
前記ホスト装置からの要求に応じて、前記偏重心量記憶部に登録された情報を読み出す情報読み出し部と、
を有し、
前記ホスト装置は、
前記偏重心量記憶部に登録された情報を前記情報読み出し部を通じて取得する情報取得部と、
当該ホスト装置にネットワークを通じて接続された、他のドライブ装置に接続した他のホスト装置に対して、前記情報取得部により取得された情報を送信する情報送信部と、
を有することを特徴とする情報処理装置。
【請求項１１】
前記ホスト装置は、前記ネットワークに接続された前記他のホスト装置を探索する装置探索部をさらに有し、
前記情報送信部は、前記装置探索部により探索された前記他のホスト装置に対して、前記情報取得部により取得された情報を送信することを特徴とする請求項１０記載の情報処理装置。
【請求項１２】
前記ホスト装置は、前記他のホスト装置からの要求に応じて、前記情報取得部および前記情報送信部の処理を実行することを特徴とする請求項１０記載の情報処理装置。
【手続補正３】
【補正対象書類名】明細書
【補正対象項目名】０００１
【補正方法】変更
【補正の内容】
【０００１】
本発明は、光ディスクなどの円盤状記録媒体に対する信号の記録またはその記録信号の再生を行うドライブ装置およびこのドライブ装置を備えた情報処理装置に関する。
【手続補正４】
【補正対象書類名】明細書
【補正対象項目名】０００５
【補正方法】変更
【補正の内容】
【０００５】
本発明はこのような点に鑑みてなされたものであり、光ディスクなどの記録媒体の記録または再生の動作を開始するまでの時間を短縮したドライブ装置、および、このドライブ装置を備えた情報処理装置を提供することを目的とする。
【手続補正５】
【補正対象書類名】明細書
【補正対象項目名】０００８
【補正方法】削除
【補正の内容】
【手続補正６】
【補正対象書類名】明細書
【補正対象項目名】００１１
【補正方法】変更
【補正の内容】
【００１１】
また、上記目的を達成するために、円盤状記録媒体のドライブ装置と、前記ドライブ装置を用いて記録媒体に対する信号の記録またはその記録信号の再生を行うことが可能なホスト装置とを備えた情報処理装置が提供される。この情報処理装置において、前記ドライブ装置は、記録媒体を識別するための識別情報ごとに偏重心量の測定値を対応付けて記憶する偏重心量記憶部と、当該ドライブ装置に装着された記録媒体から読み取った情報を基に、当該記録媒体についての前記識別情報を取得する媒体識別部と、装着された記録媒体を回転させてその偏重心量を測定する偏重心量測定部と、前記媒体識別部からの前記識別情報に対応する偏重心量の測定値が、前記偏重心量記憶部に記憶されているか否かを判定し、対応する測定値が記憶されていた場合には、当該測定値を読み出して、装着された記録媒体の記録または再生の動作制御に必要な制御情報として出力し、対応する測定値が記憶されていなかった場合には、前記偏重心量測定部に偏重心量を測定させ、得られた測定値を前記媒体識別部からの前記識別情報に対応付けて前記偏重心量記憶部に登録するとともに、当該測定値を前記制御情報として出力する偏重心量出力部と、前記ホスト装置からの要求に応じて、前記偏重心量記憶部に登録された情報を読み出す情報読み出し部と、を有し、前記ホスト装置は、前記偏重心量記憶部に登録された情報を前記情報読み出し部を通じて取得する情報取得部と、当該ホスト装置にネットワークを通じて接続された、他のドライブ装置に接続した他のホスト装置に対して、前記情報取得部により取得された情報を送信する情報送信部と、を有する。
【手続補正７】
【補正対象書類名】明細書
【補正対象項目名】００１３
【補正方法】削除
【補正の内容】
【国際調査報告】
2010016135.tif 000013
2010016135.tif 000014
2010016135.tif 000015
2010016135.tif 000016
2010016135.tif 000017
2010016135.tif 000018
2010016135.tif 000019